(57)【要約】【課題】スピーカの薄型化を図るとともに、スピーカを構成する磁石からの磁束を有効に利用し、スピーカの効率や音響特性の向上を図る。【解決手段】スピーカにおいて、平面板２ａ、３ａと、該平面板の一方の面上に並べられた複数の磁石２ｂ、３ｂとを有する磁石ユニット２、３と、音声信号に対応する電流が流れるコイル９が内部に埋設され又は該コイルが表面上に配置された振動板４と、を備え、二つの磁石ユニット２、３が、それぞれの面上に設けられた磁石の先端側において同極が対向し且つ対向する磁石間の距離が所定距離となる状態で、配置され、二つの磁石ユニット２、３の間に振動板９が設けられ、該振動板に設けられたコイルが、それぞれの磁石ユニット上の磁石によって該振動板に略平行に形成される所定磁束集中空間に位置する。【選択図】図１
2007158643.tif 000002
【特許請求の範囲】
【請求項１】
平面板と、該平面板の一方の面上に並べられた複数の磁石とを有する磁石ユニットと、
音声信号に対応する電流が流れるコイルが内部に埋設され又は該コイルが表面上に配置された振動板と、を備え、
二つの前記磁石ユニットが、それぞれの面上に設けられた磁石の先端側において同極が対向し且つ対向する磁石間の距離が所定距離となる状態で、配置され、
前記二つの磁石ユニットの間に前記振動板が設けられ、該振動板に設けられたコイルが、それぞれの磁石ユニット上の磁石によって該振動板に略平行に形成される所定磁束集中空間に位置する
ことを特徴とするスピーカ。
【請求項２】
前記磁石は、前記磁石ユニットにおいて前記平面板上に格子状に配置され、隣接する磁石の先端側の磁極が互いに異なることを特徴とする請求項１に記載のスピーカ。
【請求項３】
前記磁石は、前記磁石ユニットにおいて前記平面板上に格子状に配置され、隣接する磁石の先端側の磁極が互いに同じであり、
前記磁石ユニットは、前記磁石間に磁性体によって形成された凸部を有することを特徴とする請求項１に記載のスピーカ。
【請求項４】
前記コイルは、前記振動板上に積層して設けられることを特徴とする請求項１から請求項３の何れかに記載のスピーカ。
【請求項５】
前記振動板は、該振動板上に突出する台状部を有し、
前記コイルは、前記振動板において前記台状部上に設けられることを特徴とする請求項１から請求項４の何れかに記載のスピーカ。
【請求項６】
二つの前記振動板が、互いに接触しない状態で前記二つの磁石ユニットの間に設けられ、
一方の前記振動板の有するコイルが一方の前記磁石ユニット上の磁石による前記所定磁束集中空間に位置し、他方の前記振動板の有するコイルが他方の前記磁石ユニット上の磁石による前記所定磁束集中空間に位置することを特徴とする請求項１から請求項５の何れかに記載のスピーカ。
【請求項７】
前記一方の振動板の有するコイルと前記他方の振動板の有するコイルとに流れる前記電流は同位相である
ことを特徴とする請求項６に記載のスピーカ。
【請求項８】
前記一方の振動板の有するコイルと前記他方の振動板の有するコイルとに流れる前記電流は逆位相である
ことを特徴とする請求項６に記載のスピーカ。
【請求項９】
請求項６に記載のスピーカの駆動装置であって、
前記二つの振動板の振動方向を逆方向とすることを特徴とするスピーカ駆動装置。
【請求項１０】
請求項６に記載のスピーカの駆動装置であって、
前記二つの振動板の振動方向を同一方向とすることを特徴とするスピーカ駆動装置。
【請求項１１】
請求項６に記載のスピーカの駆動装置であって、
前記音声信号の周波数帯域に従って、前記二つの振動板の振動方向を制御することを特
徴とするスピーカ駆動装置。
【請求項１２】
平面板と、該平面板の一方の面上に並べられた複数の磁石とを有する磁石ユニットと、
音声信号に対応する電流が流れるコイルが内部に埋設され又は該コイルが表面上に配置された振動板と、を備え、
前記磁石ユニットは、前記磁石による磁束が前記振動板に略平行に指向するように該磁束を誘導する磁束誘導部材を有し、
前記磁石ユニットに対向して前記振動板が設けられ、該振動板に設けられたコイルが、前記磁束誘導部材によって誘導された磁束中に位置する
ことを特徴とするスピーカ。
【請求項１３】
前記磁石は、前記磁石ユニットにおいて前記平面板上に格子状に配置され、隣接する磁石の先端側の磁極が互いに同じであり、
前記磁束誘導部材は、前記磁石間に磁性体によって形成された凸部であることを特徴とする請求項１２に記載のスピーカ。
【請求項１４】
前記磁石ユニット上の磁石の先端部は、磁性体によって形成された磁性蓋体で覆われることを特徴とする請求項１３に記載のスピーカ。
【請求項１５】
前記凸部は、その先端側の前記磁石に対向する位置に該磁石に対して突出する突起部を有することを特徴とする請求項１３に記載のスピーカ。
【請求項１６】
前記磁束誘導部材は、前記磁石と前記振動板の間に介在する磁性流体であることを特徴とする請求項１２に記載のスピーカ。
【請求項１７】
前記磁束誘導部材は、前記振動板の前記磁石ユニットと対向する側とは反対側の表面に磁性体で形成される磁性体板、又は前記振動板を構成する磁性体部材であることを特徴とする請求項１２に記載のスピーカ。
【請求項１８】
平面板と、該平面板の一方の面上に並べられた複数の磁石とを有する磁石ユニットと、
音声信号に対応する電流が流れるコイルが表面上に配置された振動板と、を備え、
前記磁石ユニットに対向して前記振動板が設けられ、前記コイルは、該振動板上に積層して設けられ、且つ該積層されたコイルが該磁石ユニット上の磁石によって該振動板に略平行に形成される磁束中に位置する
ことを特徴とするスピーカ。
【請求項１９】
平面板と、該平面板の一方の面上に並べられた複数の磁石とを有する磁石ユニットと、
音声信号に対応する電流が流れるコイルが表面上に配置された振動板と、を備え、
前記振動板は、該振動板上に突出する台状部を有し、
前記磁石ユニットに対向して前記振動板が設けられ、前記コイルは、前記振動板において前記台状部上に設けられ、且つ該コイルが該磁石ユニット上の磁石によって該振動板に略平行に形成される磁束中に位置する
ことを特徴とするスピーカ。
【発明の詳細な説明】
【技術分野】
【０００１】
本発明は、音声信号を音声に変換するスピーカに関する。
【背景技術】
【０００２】
一般的に、磁石から発生する磁界中に設置されたコイルに電流を流し、コイルが磁界から受ける力を利用してスピーカが形成される。そこで、磁石からの磁束を効率的に利用することで、スピーカの音響特性を向上させる技術が公開されている（例えば、特許文献１を参照。）。この技術においては、二つの磁石を同極が対向するように配置し、且つ両者の間にスペーサを介在させ、該スペーサの横にボイスコイルを設けている。このようにすることで、両磁石による反発磁界中にボイスコイルが配置されるため、磁束密度の有効利用が可能となり、スピーカの音響特性が向上する。
【０００３】
また、図２３、図２４に示すように、スピーカの薄型化を狙って平面板１００の上に等間隔に規則的に並べられた磁石１０１を利用するスピーカも存在する。図２３は、従来のスピーカの断面図であり、図２４は従来のスピーカの外観図である。このスピーカにおいては、平面板１００上の隣接する磁石１０１の磁極の配置は逆転している。この平面板１００はスピーカのフレームを形成している。このフレームに振動可能にエッジ１０２を介して振動板１０３が取り付けられ、振動板１０３は並べられた磁石１０１の上方に位置する。ここで、振動板１０３内に埋設されているコイル１０４に、端子１０５から錦糸線１０６を経て音声信号に対応する電流が流れると、磁石１０１からの磁束によってコイルが力を受けて、その結果振動板１０３が振動して、音声が生じることになる。このような構成を有するスピーカは、平面板１００、複数の磁石１０１、振動板１０３をそれぞれ平面的に構成することで、その薄型化が図られる。
【特許文献１】特開平９−９３９２号公報
【特許文献２】特許第３２９６７５１号
【特許文献３】特開平１１−２６２０８９号公報
【発明の開示】
【発明が解決しようとする課題】
【０００４】
ここで、上述したようにスピーカを構成する複数の磁石や、音声振動を発生させる振動板を平面的に構成することで、スピーカの薄型化を図ることが可能となる。しかし、平面板の上に複数の磁石を平面的に配置するため、磁石から発生する磁束が磁石上方に漏れ出し、磁束の有効利用が困難となる。その結果、スピーカの効率や音響特性の低下が避けられない。
【０００５】
また、磁石を平面的に配列させた場合、磁束密度が比較的高い場所は、磁石間の場所（図２３中の磁束集中箇所）であるが、この場所に振動板、より正確には振動板の有するコイルを位置させると、振動板の振動時に磁石と接触する虞がある。そこで、振動板と磁石との接触を回避するために、磁束集中箇所より磁束密度が低下する場所に振動板を配置せざるを得ない。
【０００６】
本発明では、上記した問題に鑑み、スピーカの薄型化を図るとともに、スピーカを構成する磁石からの磁束を有効に利用し、スピーカの効率や音響特性の向上を図ることを目的とする。
【課題を解決するための手段】
【０００７】
本発明では、上記した課題を解決するために、第一に、磁石や振動板を平面的に構成す
ることで薄型化を図るスピーカにおいて、磁石の配置を対向型として反発磁界を発生させることで、スピーカの効率や音響特性の向上を図ることとした。即ち、磁石の上方に漏れ出す磁界を反発させて、スピーカを構成するコイルに流れる電流と効率的に作用させることで、スピーカの効率や音響特性を向上させるものである。
【０００８】
詳細には、本発明は、平面板と、該平面板の一方の面上に並べられた複数の磁石とを有する磁石ユニットと、音声信号に対応する電流が流れるコイルが内部に埋設され又は該コイルが表面上に配置された振動板と、を備えるスピーカであって、二つの前記磁石ユニットが、それぞれの面上に設けられた磁石の先端側において同極が対向し且つ対向する磁石間の距離が所定距離となる状態で、配置され、前記二つの磁石ユニットの間に前記振動板が設けられ、該振動板に設けられたコイルが、それぞれの磁石ユニット上の磁石によって該振動板に略平行に形成される所定磁束集中空間に位置する。
【０００９】
上記のスピーカにおいては、平面板の上に複数の磁石が適宜並べられて一つの磁石ユニットが構成される。この磁石の配列態様は特に限定されるものではないが、磁石からの磁束の有効利用や製造の容易性等を鑑みて、磁石は等間隔で規則的に配置されるのが好ましい。この一つの磁石ユニットにおいては、磁石のＮ極からＳ極に磁束が向かっており、平面板の内部やその他の空間を介して磁気回路が形成されている。
【００１０】
そして、本スピーカにおいては、この磁気回路形成にあたり、二つの磁石ユニットを利用する。それぞれの磁石ユニットの磁石が対向するように該磁石ユニットを配置する。このとき、対向する磁石の先端部同士が同極となるように、即ち先端部がＮ極の磁石は先端部がＮ極の磁石と対向するように、先端部がＳ極の磁石は先端部がＳ極の磁石と対向するように、配置される。従って、例えば先端部がＮ極の対向する磁石から出る磁束は、その中間部近傍で隣接する磁石の方向に向きを変える。このとき、二つの磁石から出た磁束が集中するため、その集中箇所における磁束密度は比較的高くなる。上記の所定磁束集中空間とは、この磁束の集中箇所に相当する。換言すると、磁石ユニットが単体のときは、上方に漏れ出していた磁束が、対向する側から向かってくる磁束の存在によって、所定磁束集中空間に集中するようになる。
【００１１】
より具体的には、平面板上の隣接する磁石同士の間で形成する磁気回路において、磁石ユニットが単体のとき上方に漏れ出していた磁束が、上述のように磁石ユニットを対向して設置することで、磁石間を行き来する磁束量が増加することになる。
【００１２】
そこで、このように磁石ユニットを対向させて磁石間を行き来する磁束量が増加する所定磁束集中空間にコイルを有する振動板を配置することで、振動板をより効率的に振動させることが可能となる。ここで、振動板は振動することで音が発生するため、その周囲には振動代が必要となる。従って、対向する磁石ユニット間の距離として上記所定距離を確保する必要がある。尚、対向する磁石ユニット間の距離は、広く設定するほど振動板の振動を妨げないが、磁石からの磁束を有効に利用することができなくなるので、両観点から適切な距離とするのが好ましい。
【００１３】
ここで、磁石ユニット間に形成される磁束をより効率的に利用するためには、振動板が磁石ユニット間に設けられるときの、振動板に埋設されているコイルの位置もしくは振動板の表面上に配置されたコイルの位置が重要となる。即ち、このコイルの位置が、上述した所定磁束集中空間と合致することで、振動板を効率的に振動させることが可能となる。この所定磁束集中空間の一つが、磁石ユニット上の隣接する磁石間上方の空間である。ここでは、一の磁石から隣接する他の磁石に向かう磁束が集中し、且つ振動板が振動しても磁石等の周辺物に衝突しないため、より効率的な振動板の振動が可能となり、スピーカの効率や音響特性の向上に繋がる。
【００１４】
また、振動板においてコイルをその表面上に配置するときは、該振動板の両表面にコイルを配置するのが好ましい。振動板の両表面にコイルを配置することで、片側に配置されるコイルの量が減少する。そのため、振動板と磁石との間の距離をより小さくすること、即ち上記所定距離をより小さくすることが可能となり、対向する磁石ユニットによって形成される磁束密度が上昇する。そのため、より効率的な振動板の振動が可能となり、スピーカの効率や音響特性の向上に繋がる。
【００１５】
ここで、磁石ユニットにおける磁石の配列に言及する。上記のスピーカにおいて、前記磁石は、前記磁石ユニットにおいて前記平面板上に格子状に配置され、隣接する磁石の先端側の磁極が互いに異なるようにしてもよい。このように規則的に磁石を配列させることで、集中磁束の有効利用が容易に図ることが可能となる。
【００１６】
また、前記磁石は、前記磁石ユニットにおいて前記平面板上に格子状に配置され、隣接する磁石の先端側の磁極が互いに同じであり、前記磁石ユニットは、前記磁石間に磁性体によって形成された凸部を有するようにしてもよい。即ち、磁石ユニットにおいて、磁石と磁石との間に上記凸部が介在する状態となり、且つ全ての磁石の配置は、その磁極の向きが同じとなる配置である。このように構成される磁石ユニットでも、凸部が磁石と同様の機能を発揮するため、磁石と凸部との間で磁気回路が形成され、上述したような原理に基づいて効率的な振動板の振動が可能となり、スピーカの効率や音響特性の向上に繋がる。尚、磁石の代わりに凸部を利用することで、磁石ユニット間に形成される磁束密度は若干低下する可能性はあるが、磁石の使用量を減少させながらもスピーカの効率や音響特性の向上を図ることが可能となる。
【００１７】
また、この凸部は、平面板とは別部材のものを該平面部材に設置してもよい。または平面部材が磁性体で構成される場合は、その平面部材と一体的に形成してもよい。この場合、平面部材に絞り出し加工を施すことで凸部を形成し得る。
【００１８】
ここで、上述までのスピーカにおいて、前記コイルは、前記振動板上に積層して設けられるようにしてもよい。上述したように、所定磁束集中空間とは、二つの磁石ユニットが対向することで、本来外部に漏れる磁束が集中する領域である。ここで、この所定磁束集中空間よりも下方（磁石ユニットの平面板側）の空間では、磁石ユニット単体であるときも、隣接する磁石間で比較的直線的に磁束が形成される空間であるため、そこの磁束密度は比較的高く維持される。もちろん、二つの磁石ユニットが対向することで所定下方空間の磁束密度も若干高くなるが、この空間に振動板が直接位置しようとすると、磁石と干渉する可能性が高くなるため、振動板自体をこの所定下方空間に配置させることは困難である。
【００１９】
そこで、振動板の表面上に積層してコイルを配置して、その基端側は上記所定磁束集中空間に位置するようにし、且つその先端側を上記所定磁束集中空間よりも下方（磁石ユニットの平面板側）の空間に潜り込ませるようにすることで、振動板自体は磁石に衝突しない位置に配置させて振動板の振動を確実に回避しながらも、コイル全体をより効率的に磁束密度が比較的高い位置に配置させることが可能となる。この結果、より効率的な振動板の振動が可能となり、スピーカの効率や音響特性の向上に繋がる。
【００２０】
また、上記のスピーカにおいて、前記振動板は、該振動板上に突出する台状部を有し、前記コイルは、前記振動板において前記台状部上に設けられるようにしてもよい。即ち、コイルの高さを嵩上げして、振動板自体は磁石に衝突しない位置に配置させながら、該コイルを磁束密度が高い空間に位置させて、磁束の有効利用を図ることが可能となる。
【００２１】
上述までのスピーカにおいて、二つの前記振動板が、互いに接触しない状態で前記二つの磁石ユニットの間に設けられ、一方の前記振動板の有するコイルが一方の前記磁石ユニット上の磁石による前記所定磁束集中空間に位置し、他方の前記振動板の有するコイルが他方の前記磁石ユニット上の磁石による前記所定磁束集中空間に位置するようにしてもよい。
【００２２】
即ち、対向する磁石ユニットの間に配置する振動板を二枚構成とすることで、スピーカの出力を高めることが可能となる。尚、二枚の振動板の振動の際に、互いに接触するのを回避するために、両者の間には接触を回避し得る程度の距離が保たれるのが好ましい。
【００２３】
ここで、上記のように対向する磁石ユニットの間に配置する振動板を二枚構成とした場合、それぞれの振動板が有するコイルに流れる電流の位相を考慮するのが好ましい。例えば、前記一方の振動板の有するコイルと前記他方の振動板の有するコイルとに流れる前記電流を同位相となるように流すと、磁石ユニットが対向している本スピーカの配置関係より、一方の振動板の振動方向と他方の振動板の振動方向とが逆向きとなる。その結果、振動板の振動によって形成される空気の振動を、磁石ユニットや振動板が配置される方向（スピーカの厚さ方向）と直交する方向（スピーカの側部方向）に伝播させることが可能となる。この場合、空気振動は圧縮されてスピーカの側部方向に伝播するため、低域の音声の形成に有用である。従って、本発明に係るスピーカの駆動装置として、前記一方の振動板の有するコイルと前記他方の振動板の有するコイルとに流れる前記電流を同位相として、前記二つの振動板の振動方向を逆方向とする制御を行い得る。
【００２４】
また、逆に前記一方の振動板の有するコイルと前記他方の振動板の有するコイルとに流れる前記電流を逆位相となるように流してもよい。このような位相で電流を流すと、磁石ユニットが対向している本スピーカの配置関係より、一方の振動板の振動方向と他方の振動板の振動方向とが一致する。その結果、振動板の振動によって形成される空気の振動を、磁石ユニットや振動板が配置される方向（スピーカの厚さ方向）に伝播させることが可能となる。この場合、振動板の平面部を利用して空気振動を発生させるためスピーカの出力効率が向上し、高域の音声の形成に有用である。従って、本発明に係るスピーカの駆動装置として、前記一方の振動板の有するコイルと前記他方の振動板の有するコイルとに流れる前記電流を逆位相として、前記二つの振動板の振動方向を同一方向とする制御を行い得る。
【００２５】
また、これらの振動板が有するコイルへの電流の流し方を踏まえて、上記のスピーカの駆動装置において、前記音声信号の周波数帯域に従って、前記二つの振動板の振動方向を制御するようにしてもよい。例えば、前記音声信号が低域信号であるとき、前記一方の振動板の有するコイルと前記他方の振動板の有するコイルとに流れる前記電流を同位相とし、該音声信号が高域信号であるとき、該一方の振動板の有するコイルと該他方の振動板の有するコイルとに流れる該電流を逆位相とすることで、前記二つの振動板の振動方向を制御するようにしてもよい。この振動板の振動方向の制御によって、音声信号の特性に応じた音声の形成が可能となる。尚、音声信号の周波数帯域に基づく振動板の振動方向の制御は、これに限られない。
【００２６】
第二に、上記した課題を解決するために、平面板と、該平面板の一方の面上に並べられた複数の磁石とを有する磁石ユニットと、音声信号に対応する電流が流れるコイルが内部に埋設され又は該コイルが表面上に配置された振動板と、を備えるスピーカであって、前記磁石ユニットは、前記磁石による磁束が前記振動板に略平行に指向するように該磁束を誘導する磁束誘導部材を有し、前記磁石ユニットに対向して前記振動板が設けられ、該振動板に設けられたコイルが、前記磁束誘導部材によって誘導された磁束中に位置する。
【００２７】
上記スピーカにおいては、先述したような磁石ユニットを対向させた間に振動板を配置するのではなく、一の磁石ユニットに振動板が対向する配置態様となっている。この結果、磁石ユニットが有する磁石によって形成される磁束が、外部に漏れる量が多くなる可能性があるが、上記スピーカにおいては磁束誘導部材を備えることで、外部に漏れ出そうとする磁束を振動板に略平行に誘導する。そのため、磁石と磁石の間での磁束密度が高められ、その磁束密度が高められた空間に振動板のコイルを位置させることで、スピーカの効率や音響特性を向上させることが可能となる。
【００２８】
上記のスピーカにおいて、前記磁石は、前記磁石ユニットにおいて前記平面板上に格子状に配置され、隣接する磁石の先端側の磁極が互いに同じであり、前記磁束誘導部材は、前記磁石間に磁性体によって形成された凸部であるようにしてもよい。即ち、磁石ユニットにおいて、磁石と磁石との間に上記凸部が介在する状態となり、且つ全ての磁石の配置は、その磁極の向きが同じとなる配置である。このように構成される磁石ユニットでも、凸部が磁石と同様の機能を発揮するため、磁石と凸部との間で磁気回路が形成され、上述したような原理に基づいて効率的な振動板の振動が可能となり、スピーカの効率や音響特性の向上に繋がる。尚、磁石の代わりに凸部を利用することで、磁石ユニット間に形成される磁束密度は若干低下する可能性はあるが、磁石の使用量を減少させながらもスピーカの効率や音響特性の向上を図ることが可能となる。また、この凸部は、平面板とは別部材のものを該平面部材に設置してもよい。または平面部材が磁性体で構成される場合は、その平面部材と一体的に形成してもよい。この場合、平面部材に絞り出し加工を施すことで凸部を形成し得る。
【００２９】
また、前記磁石ユニット上の磁石の先端部は、磁性体によって形成された磁性蓋体で覆われるようにしてもよい。このようにすることで、磁石から外部に漏れる磁束量を減少させて、磁石間で形成される磁気回路の磁束密度を高めることが可能となる。尚、磁性蓋体を設けることで磁性蓋体と振動板が衝突しないように、磁石ユニットに対する振動板の位置を調整する必要がある。
【００３０】
また、前記凸部は、その先端側の前記磁石に対向する位置に該磁石に対して突出する突起部を有するようにしてもよい。このようにすることで、磁束の向きに方向付けを行う、即ち磁束の指向性を高めることができ、凸部と磁石との間で形成される磁束をより効率的に集中させることが可能となる。また、磁石は通常、圧縮された磁性材料粉を焼結することで作成されるため、その先端部を特定の形状とすることは困難を伴うが、凸部においてはその形状の加工は容易である。
【００３１】
また、前記磁束誘導部材は、前記磁石と前記振動板の間に介在する磁性流体であってもよい。磁性流体の存在によって、磁石から外部に漏れる磁束量を減少させて、磁石間で形成される磁気回路の磁束密度を高めることが可能となる。尚、磁性流体は剛体ではないため、磁性流体の存在は振動板の動作に支障は及ぼさない。従って、磁石ユニットに対する振動板の位置を可及的に小さく維持することが可能となる。
【００３２】
また、前記磁束誘導部材は、前記振動板の前記磁石ユニットと対向する側とは反対側の表面に磁性体で形成される磁性体板、又は前記振動板を構成する磁性体部材であってもよい。磁性体板又は磁性体部材の存在によって、磁石から外部に漏れる磁束量を減少させて、磁石間で形成される磁気回路の磁束密度を高めることが可能となる。尚、磁性体板は、振動板の、磁石ユニットと対向する側とは反対側の表面に設けられているため、磁性体板が磁石と接触する虞はない。従って、磁石ユニットと振動板との距離を可及的に小さく維持することが可能となる。
【００３３】
第三に、上記した課題を解決するために、平面板と、該平面板の一方の面上に並べられ
た複数の磁石とを有する磁石ユニットと、音声信号に対応する電流が流れるコイルが表面上に配置された振動板と、を備えるスピーカであって、前記磁石ユニットに対向して前記振動板が設けられ、前記コイルは、前記振動板上に積層して設けられ、且つ該積層されたコイルが該磁石ユニット上の磁石によって該振動板に略平行に形成される磁束中に位置する。即ち、コイルを積層することで、磁束密度が高い空間にコイルを配置するとともに、磁石と振動板との干渉を回避することが可能となる。
【００３４】
第四に、上記した課題を解決するために、平面板と、該平面板の一方の面上に並べられた複数の磁石とを有する磁石ユニットと、音声信号に対応する電流が流れるコイルが表面上に配置された振動板と、を備えるスピーカであって、前記振動板は、該振動板上に突出する台状部を有し、前記磁石ユニットに対向して前記振動板が設けられ、前記コイルは、前記振動板において前記台状部上に設けられ、且つ該コイルが該磁石ユニット上の磁石によって該振動板に略平行に形成される磁束中に位置する。即ち、台状部によってコイルを嵩上げすることで、磁束密度が高い空間にコイルを配置するとともに、磁石と振動板との干渉を回避することが可能となる。
【発明の効果】
【００３５】
スピーカの薄型化を図るとともに、スピーカを構成する磁石からの磁束を有効に利用し、スピーカの効率や音響特性の向上を図ることが可能となる。
【発明を実施するための最良の形態】
【００３６】
ここで、本発明に係るスピーカの実施の形態について図面に基づいて説明する。
【実施例１】
【００３７】
図１は、本発明に係るスピーカ１の構成を示す図である。スピーカ１は、上側磁石ユニット２と下側磁石ユニット３とを対向させて配置することで形成される。より詳細には、上側磁石ユニット２は、フレーム２ａ上に複数の磁石２ｂが規則的に、均等な間隔をもって配置されている。また、下側磁石ユニット３も、フレーム３ａ上に複数の磁石３ｂが規則的に均等な間隔をもって配置されている。これらの磁石ユニットにおける磁石の配置は図２に示すとおりである。図２は、磁石ユニットを上側から見た図である。磁石２ｂ、３ｂは、その端部がＮ極又はＳ極となる矩形上の磁石であり、これらの複数の磁石２ｂ、３ｂが、隣接する磁石との関係において先端部が互いに異なる磁極となるように、規則的に配置されている。
【００３８】
ここで、上述したようにスピーカ１は上側磁石ユニット２と下側磁石ユニット３とが対向するように配置されるが、より具体的には、図１に示すように、フレーム２ａ、３ａ上の磁石同士において、対向する磁石の先端部の磁極同士が同極となるように各磁石ユニットを配置する。更に、対向した上側磁石ユニット２と下側磁石ユニット３の間に、内部にコイル９が埋設された振動板４が設けられる。この振動板４は、エッジ５を介して下側磁石ユニット３のフレーム３ａに弾性的に固定されている。また、振動板４のコイル９は、錦糸線８を介して下側磁石ユニット３の外部に設けられたコネクタ６に接続されている。コネクタ６には、スピーカ１の外部からコード７を経て音声信号に対応する電流が供給される。
【００３９】
音声信号に対応する電流がコイル９に供給されると、磁石ユニット間に形成される磁気回路の磁束によって電流が流れるコイル９が力を受け、振動板４の振動が発生し音声が生じる。そこで、音声発生のための振動板４の振動を妨害しないように、上側磁石ユニット２上の磁石２ｂの先端部と下側磁石ユニット３上の磁石３ｂの先端部との間に所定の距離が保たれた状態となっている。
【００４０】
このように構成されるスピーカ１における磁気回路の形成について詳細に説明する。上述したように、対向する磁石同士の先端側の磁極同士が同極となるように両磁石ユニットが配置される。そのため、先端側がＮ極の磁石２ｂ、３ｂから出た磁束は、その一部は直接隣接する磁石のＳ極に向かうが、別の一部は磁束同士が磁石ユニットの概ね中央で反発しその向きが隣接する磁極のＳ極に向かうことになる。即ち、反発型の磁気回路が形成されることになる。
【００４１】
その結果、両磁石ユニット間、特にその中央部付近に磁束密度が比較的高い磁気回路が形成される。換言すると、上側（下側）磁石ユニットが単体で置かれたときに磁石２ｂ（３ｂ）による磁束の一部は、フレーム２ａ（３ａ）から離れる方向に向かい、隣接する磁石に至らず外部に漏れ出すが、本発明に係るスピーカ１のように磁石ユニットを対向させることで、外部に漏れ出す磁束の多くが隣接する磁石に向かうことになる。そのため、両磁石ユニット間の空間に磁束密度が比較的高い空間を形成することが可能となる。
【００４２】
ここで、両磁石ユニット間の空間でも比較的磁束密度が高いため振動板４の振動を効率的に行うことが可能であって、且つ振動板４と磁石２ｂ、３ｂとの接触が回避し得る場所は、フレーム２ａ（３ａ）上の磁石２ｂ（３ｂ）間の上方の空間（以下、当該空間を「高磁束密度空間」と称する。）であり、図１において実線で囲われた場所である。この高磁束密度空間の磁束密度が比較的高い理由は、上述したように対向する磁石から出された磁束が反発することによって、該高磁束密度空間に集中するからである。本実施例のように、上側磁石ユニット２と下側磁石ユニット３がほぼ同一である場合は、その中央付近に高磁束密度空間が形成される。
【００４３】
そして、本発明に係るスピーカの特徴点は、振動板４に埋設されているコイル９の多くがこの高磁束密度空間に位置するように、振動板４やフレーム２ａ、３ａ等が設計されている点である。これによりコイル９に供給される音声信号に対応する電流に対して、効率的に力を発生させることが可能となり、以てスピーカ１の効率や音響特性の向上が図られる。また、上側磁石ユニット２や下側磁石ユニット３によって平面的に磁気回路を形成することで、スピーカ１の薄型化を図ることも可能となる。
【実施例２】
【００４４】
本発明に係るスピーカ１の第二の実施例について、図３に基づいて説明する。尚、先に示した実施例に係るスピーカ１と同一の構成要素については、同一の参照番号を付してその詳細な説明を省略する。本実施例に係るスピーカ１は、実施例１（図１）で示したスピーカ１において上側磁石ユニット２と下側磁石ユニット３との間に二つの振動板４、１４を設けたものである。
【００４５】
振動板１４は、エッジ１５を介して上側磁石ユニットに弾性的に接続されている。更に振動板１４は、振動板４と同様に、その内部にコイルが埋設されており、該コイルには、錦糸線１８、コネクタ１６、コード１７（それぞれ錦糸線８、コネクタ６、コード７と同じ機能を有する。）を介して音声信号に対応する電流が供給される。即ち、二つの振動板４、１４内のコイルに対しては、それぞれに音声信号に対応する電流が供給されることになる。電流が流されると振動板４、１４は振動するが、その振動に際して互いが接触しないように、振動板４と振動板１４の間には一定の間隔が保たれている。
【００４６】
ここで、本実施例に係るスピーカ１には、実施例１に係るスピーカと同様に反発型の磁気回路が形成される。そして、その特徴点は、振動板４内のコイルは下側磁石ユニット３側に形成される高磁束密度空間に位置するように配置され、且つ振動板１４内のコイルは上側磁石ユニット２側に形成される高磁束密度空間に位置するように配置される点である。このように構成されるスピーカ１は、二つの振動板を比較的磁束密度の高い位置に配置
して、コイルに供給される音声信号に対応する電流に対して、効率的に力を発生させることが可能となり、以てスピーカ１の効率や音響特性の向上が図られる。
【実施例３】
【００４７】
本発明に係るスピーカ１の第三の実施例について、図４、５に基づいて説明する。尚、先に示した実施例に係るスピーカ１と同一の構成要素については、同一の参照番号を付してその詳細な説明を省略する。本実施例に係るスピーカ１は、実施例１（図１）で示したスピーカ１において上側磁石ユニット２２と下側磁石ユニット２３とにおける磁石２２ｂ、２３ｂの配列を変更したものである。
【００４８】
図５には、上側磁石ユニット２２（下側磁石ユニット２３）における磁石２２ｂ（２３ｂ）の配列を示す図である。本実施例でも、磁石２２ｂ（２３ｂ）は、実施例１と同様に、フレーム２２ａ（２３ａ）上に配置されている。しかし、実施例１において磁石の先端部がＳ極となる位置に配置される磁石に代わって、磁性体で磁石２２ｂ（２３ｂ）と同形状に形成された磁性部材２２ｃ（２３ｃ）が設けられる。従って、フレーム２２ａ（２３ａ）上においては、先端部がＮ極となる磁石２２ｂ（２３ｂ）と磁性部材２２ｃ（２３ｃ）とが互いに隣接するように規則的に配置される。
【００４９】
そして、上側磁石ユニット２２と下側磁石ユニット２３とを対向させるに当たり、それぞれの磁石ユニット上の磁石と磁石が、且つ磁性部材と磁性部材とが対向するように両者の位置が決定される。磁性部材は磁性体で形成されるため、図１に示す磁石と同等の機能を発揮することが可能である。これにより、上側磁石ユニット２２と下側磁石ユニットとの間に高磁束密度空間が形成され、コイルに供給される音声信号に対応する電流に対して、効率的に力を発生させることが可能となり、以てスピーカ１の効率や音響特性の向上が図られる。また、スピーカ１の作成にあたり、使用する磁石量を低減しコストを抑えることが可能となる。
【００５０】
ここで、上記実施例では、フレーム２２ａ（２３ａ）上に磁性部材２２ｃ（２３ｃ）を配置したが、フレーム２２ａ（２３ａ）自体が磁性体で形成されている場合は、絞り出し工法等によりフレーム２２ａ（２３ａ）と磁性部材２２ｃ（２３ｃ）とを一体成形してもよい。
【実施例４】
【００５１】
本発明に係るスピーカ１の第四の実施例について、図６に基づいて説明する。尚、先に示した実施例に係るスピーカ１と同一の構成要素については、同一の参照番号を付してその詳細な説明を省略する。本実施例に係るスピーカ１は、実施例３（図４）で示したスピーカ１において上側磁石ユニット２２と下側磁石ユニット２３との間に二つの振動板４、１４を設けたものである。
【００５２】
本実施例に係るスピーカ１には、実施例３に係るスピーカと同様に反発型の磁気回路が形成される。そして、その特徴点は、振動板４内のコイルは下側磁石ユニット２３側に形成される高磁束密度空間に位置するように配置され、且つ振動板１４内のコイルは上側磁石ユニット２２側に形成される高磁束密度空間に位置するように配置される点である。このように構成されるスピーカ１は、二つの振動板を比較的磁束密度の高い位置に配置して、コイルに供給される音声信号に対応する電流に対して、効率的に力を発生させることが可能となり、以てスピーカ１の効率や音響特性の向上が図られる。
【実施例５】
【００５３】
本発明に係るスピーカ１の第五の実施例について、図７に基づいて説明する。尚、先に示した実施例に係るスピーカ１と同一の構成要素については、同一の参照番号を付してそ
の詳細な説明を省略する。本実施例に係るスピーカ１は、実施例１（図１）で示したスピーカ１において、振動板２４におけるコイル２９の配置仕様を変更したものである。
【００５４】
振動板２４においては、音声信号に対応する電流が流れるコイル２９が振動板２４の両表面に配置されている。そして、振動板２４の表面に配置されたコイル２９が、上側磁石ユニット２と下側磁石ユニット３によって形成される反発型の磁気回路のうち比較的磁束密度が高い高磁束密度空間に位置するように配置される。このように構成されるスピーカ１は、振動板２４を比較的磁束密度の高い位置に配置して、コイルに供給される音声信号に対応する電流に対して、効率的に力を発生させることが可能となり、以てスピーカ１の効率や音響特性の向上が図られる。
【００５５】
また、コイル２９を振動板２４の両表面上に配置することで、高磁束密度空間にコイルを効率的に配置することが可能となるとともに、振動板２４の片面側に配置されるコイル量が減り、振動板２４と磁石２ｂ（３ｂ）との距離を可及的に縮小することが可能となる。これにより、スピーカ１の薄型化や効率の更なる向上が図られる。
【００５６】
更に、本実施例において、上述した実施例３のように、対向する磁石のうち先端部がＳ極となる磁石に代えて磁性部材を設けてもよい。即ち、上側磁石ユニット２、下側磁石ユニット３における磁石と磁性部材の配置を図５に示すようにしてもよい。
【実施例６】
【００５７】
本発明に係るスピーカ１の第六の実施例について、図８に基づいて説明する。尚、先に示した実施例に係るスピーカ１と同一の構成要素については、同一の参照番号を付してその詳細な説明を省略する。本実施例に係るスピーカ１は、実施例５（図７）で示したスピーカ１において上側磁石ユニット２と下側磁石ユニット３との間に二つの振動板２４、３４を設けたものである。尚、振動板３４は、振動板２４と同じ構成である。
【００５８】
本実施例に係るスピーカ１には、実施例５に係るスピーカと同様に反発型の磁気回路が形成される。そして、その特徴点は、振動板２４上のコイルは下側磁石ユニット３側に形成される高磁束密度空間に位置するように配置され、且つ振動板３４上のコイルは上側磁石ユニット２側に形成される高磁束密度空間に位置するように配置される点である。このように構成されるスピーカ１は、二つの振動板を比較的磁束密度の高い位置に配置して、コイルに供給される音声信号に対応する電流に対して、効率的に力を発生させることが可能となり、以てスピーカ１の効率や音響特性の向上が図られる。
【００５９】
更に、本実施例において、上述した実施例３のように、対向する磁石のうち先端部がＳ極となる磁石に代えて磁性部材を設けてもよい。即ち、上側磁石ユニット２、下側磁石ユニット３における磁石と磁性部材の配置を図５に示すようにしてもよい。
【実施例７】
【００６０】
本発明に係るスピーカ１の第七の実施例について、図９に基づいて説明する。尚、先に示した実施例に係るスピーカ１と同一の構成要素については、同一の参照番号を付してその詳細な説明を省略する。本実施例に係るスピーカ１は、実施例５（図７）で示したスピーカ１において、振動板２４におけるコイル２９を積層状に配置したものである。
【００６１】
振動板２４においては、音声信号に対応する電流が流れるコイル２９が振動板２４の両表面に配置されているのは、上述の実施例５に示すとおりである。本実施例においては、更にコイル２９を積層状に配置する。このようにすることで、この積層状に配置されたコイル２９の基端側（振動板２４側）は、上述したように反発型の磁気回路による高磁束密度空間に位置し、コイル２９の先端側（磁石ユニットのフレーム側）は磁石間の空間に位
置する。このコイル２９の先端側が位置する磁石間の空間は、磁石ユニット同士を対向させなくても磁束密度が比較的高い空間であるが、磁石と振動板が接触するため振動板自体を配置することが困難な空間である。
【００６２】
そこで、本実施例においては、振動板２４自体は、磁石との接触を回避し得る場所に位置するが、コイル２９を積層することで、高磁束密度空間の磁束から効率的に力を受けるとともに、磁石間の磁束からも力を受ける場所に、コイル２９を位置させることが可能となり、スピーカ１の効率や音響特性の向上が図られる。
【実施例８】
【００６３】
本発明に係るスピーカ１の第八の実施例について、図１０に基づいて説明する。尚、先に示した実施例に係るスピーカ１と同一の構成要素については、同一の参照番号を付してその詳細な説明を省略する。本実施例に係るスピーカ１は、実施例７（図９）で示したスピーカ１において上側磁石ユニット２と下側磁石ユニット３との間に二つの振動板２４、３４を設けたものである。尚、本実施例においては、振動板２４、３４の磁石ユニット側の表面にのみ、コイルが積層状に配置されている。これは、振動板２４、３４の他方の表面にコイルを積層状に配置すると、コイル同士が接触する可能性があるためである。
【００６４】
本実施例に係るスピーカ１には、実施例７に係るスピーカと同様に反発型の磁気回路が形成される。そして、その特徴点は、振動板２４上のコイルは下側磁石ユニット３側に形成される高磁束密度空間と下側磁石ユニット３上の磁石間の空間に位置するように配置され、且つ振動板３４内のコイルは上側磁石ユニット２側に形成される高磁束密度空間と上側磁石ユニット２上の磁石間の空間に位置するように配置される点である。このように構成されるスピーカ１は、二つの振動板上のコイルを比較的磁束密度の高い位置に配置することが可能となり、コイルに供給される音声信号に対応する電流に対して、効率的に力を発生させることが可能となり、以てスピーカ１の効率や音響特性の向上が図られる。
【実施例９】
【００６５】
本発明に係るスピーカ１の第九の実施例について、図１１〜図１３に基づいて説明する。本実施例は、上述したスピーカ１であって、上側磁石ユニット２（２２）と下側磁石ユニット３（２３）との間に、二つの振動板が配置されているスピーカ１における音楽の再生に関する実施例である。尚、図１１〜図１３には、実施例２（図３）に係るスピーカ１が例示されている。
【００６６】
振動板４のコイルにはコード７から音声信号に対応する電流が供給され、振動板１４のコイルにはコード１７から音声信号に対応する電流が供給される。従って、それぞれの振動板には、音声信号に対応する電流を独立して供給可能である。
【００６７】
ここで、先ず、振動板４のコイルと振動板１４のコイルに対して、同一の音声信号に対応する電流であって同位相の電流をそれぞれ供給する。図１１に示すように、上側磁石ユニット２と下側磁石ユニット３とは対向している位置関係から、この同位相の電流が供給されると、図１１に示すように振動板４と振動板１４の振動方向は反対方向となる。このとき両振動板によって圧縮された空気は、スピーカ１の側部に向かって伝播し、図に示す方向に音声が伝わることになる。この場合、主に圧縮された空気により音声が形成されるため、特に低域の音声のスピード感がよい。
【００６８】
次に、振動板４のコイルと振動板１４のコイルに対して、同一の音声信号に対応する電流であって逆位相の電流をそれぞれに供給する。図１２に示すように、上側磁石ユニット２と下側磁石ユニット３とは対向している位置関係から、この逆位相の電流が供給されると、図１２に示すように振動板４と振動板１４の振動方向は同一方向となる。従って、両
振動板によって振動された空気は、スピーカ１の正面に向かって伝播し、図に示す方向に音声が伝わることになる。この場合、振動板４、１４の平面部によって生じた空気の振動をそのまま外部に伝えるため、音声の発生効率がよく、高域の音声を再生するのに好適である。
【００６９】
このとき、振動板４、１４によって生じた空気の振動をスピーカ１の正面側に効率的に伝播させるために、図１３に示すように磁石ユニットを構成するフレーム２ａ（３ａ）に貫通孔２ｄ（３ｄ）を設けるようにしてもよい。
【００７０】
尚、上述の振動板４のコイルと振動板１４のコイルに対する電流の供給は、スピーカのユーザからの指示により、電流の位相を制御するようにしてもよい。即ち、ユーザが、低域の音声の再生を重視する場合は、振動板４のコイルと振動板１４のコイルに対して同位相の電流を流すようにし、高域の音声の再生を重視する場合は、振動板４のコイルと振動板１４のコイルに対して逆位相の電流を流すようにしてもよい。また、スピーカ１に対して供給される音声信号が高域寄りの音声信号か低域寄りの音声信号化を自動的に判別し、その結果に基づいて電流位相を制御するようにしてもよい。
【００７１】
または、音声信号を、フィルタを用いて高域と低域に分け、一方だけ位相を反転させた後、再び合成する。この合成した信号をスピーカ１に供給することにより、位相の反転された信号は逆位相で、位相が反転されなかった信号は同位相で出力されるため、低音寄りの音声信号と高音寄りの音声信号とを同時に好適な状態で出力することが可能となる。尚、上記の例では、低音を同位相、高音を逆位相としているが、必ずしもこの限りではなく、スピーカに応じて最適な状態で出力できればよい。
【実施例１０】
【００７２】
本発明に係るスピーカ１の第十の実施例について、図１４、１５に基づいて説明する。尚、先に示した実施例に係るスピーカ１と同一の構成要素については、同一の参照番号を付してその詳細な説明を省略する。本実施例に係るスピーカ１は、上述までのスピーカ１と異なり反発型の磁気回路は形成されない。即ち、一つの磁石ユニット２２とそれに対向するように配置される振動板４によって、スピーカ１が形成される。
【００７３】
磁石ユニット２２は、図１５に示すようにフレーム２２ａ上に磁石２２ｂが規則的に配置されている。この磁石２２ｂは全てにおいて先端側がＮ極となり、基端側のＳ極がフレーム２２ａと接続されている。ここで、各磁石２２ｂ間に磁性体で形成される磁性部材２２ｃが格子状に配置されている。従って、この磁性部材２２ｃが、先端部がＳ極で基端部がＮ極となる磁石と同等の機能を発揮することで、図１４に示すような磁気回路が形成される。これにより、磁石２２ｂと磁性部材２２ｃとの間の上方の空間に比較的磁束密度が高く、振動板４を配置しても振動板４と磁石２２ｂが接触する虞のない空間（以下、「上方高磁束密度空間Ｒ１」という。）が存在する。そこで、この上方高磁束密度空間Ｒ１に振動板４のコイル９が位置するように振動板４を配置することで、コイル９に供給される音声信号に対応する電流に対して、効率的に力を発生させることが可能となり、以てスピーカ１の効率や音響特性の向上が図られる。
【実施例１１】
【００７４】
本発明に係るスピーカ１の第十一の実施例について、図１６に基づいて説明する。尚、先に示した実施例に係るスピーカ１と同一の構成要素については、同一の参照番号を付してその詳細な説明を省略する。本実施例に係るスピーカ１は、実施例１０に係るスピーカ１と同様に反発型の磁気回路は形成されない。即ち、一つの磁石ユニット２とそれに対向するように配置される振動板２４によって、スピーカ１が形成される。
【００７５】
振動板２４においては、その磁石ユニット２側の表面上にコイル２９が積層状に配置される。このようにすることで、この積層状に配置されたコイル２９の基端側（振動板２４側）は、上述の上方高磁束密度空間Ｒ１に位置し、コイル２９の先端側（磁石ユニット２のフレーム２ａ側）は、上方高磁束密度空間Ｒ１の下方の磁石２ｂ間の空間（以下、「下方高磁束密度空間Ｒ２」という。）に位置する。このコイル２９の先端側が位置する下方高磁束密度空間Ｒ２は、磁束密度が比較的高い空間であるが、磁石２ｂと振動板４が干渉するため振動板４自体を配置することが困難な空間である。
【００７６】
そこで、本実施例においては、振動板２４自体は、磁石２ｂとの接触を回避し得る場所に位置するが、コイル２９を積層することで、上方高磁束密度空間Ｒ１の磁束から効率的に力を受けるとともに、下方高磁束密度空間Ｒ２の磁束からも力を受ける場所に、コイル２９を位置させることが可能となり、スピーカ１の効率や音響特性の向上が図られる。
【実施例１２】
【００７７】
本発明に係るスピーカ１の第十二の実施例について、図１７に基づいて説明する。尚、先に示した実施例に係るスピーカ１と同一の構成要素については、同一の参照番号を付してその詳細な説明を省略する。本実施例に係るスピーカ１は、実施例１０に係るスピーカ１と同様に反発型の磁気回路は形成されない。即ち、一つの磁石ユニット２とそれに対向するように配置される振動板２４によって、スピーカ１が形成される。
【００７８】
振動板２４においては、突起部５０が設けられ、その突起部５０上にコイル２９が配置されている。即ち、コイル２９が磁石ユニット２側に嵩上げされている状態となっている。このようにすることで、コイル２９が、より確実に下方高磁束密度空間Ｒ２に位置する。そこで、本実施例においては、振動板２４自体は、磁石２ｂとの接触を回避し得る場所に位置するが、突起部５０によって、下方高磁束密度空間Ｒ２の磁束から力を受ける場所にコイル２９を位置させることが可能となり、スピーカ１の効率や音響特性の向上が図られる。
【実施例１３】
【００７９】
本発明に係るスピーカ１の第十三の実施例について、図１８に基づいて説明する。尚、先に示した実施例に係るスピーカ１と同一の構成要素については、同一の参照番号を付してその詳細な説明を省略する。本実施例に係るスピーカ１は、実施例１０に係るスピーカ１と同様に反発型の磁気回路は形成されない。即ち、一つの磁石ユニット２とそれに対向するように配置される振動板２４によって、スピーカ１が形成される。
【００８０】
本発明に係るスピーカ１においては、上述の実施例１１に係るスピーカ１において磁石２ｂの先端部が、磁性体で形成される磁性蓋体５１によって覆われている。これにより、磁石２ｂによって形成される磁気回路において、磁石間の磁束の指向性が高まり、積層状に配置されたコイル２９が存在する空間において、磁束密度がより高まる。その結果、コイルに供給される音声信号に対応する電流に対して、効率的に力を発生させることが可能となり、以てスピーカ１の効率や音響特性の向上が図られる。尚、磁束蓋体５１を設ける際、磁束蓋体５１と振動板２４とが接触しないように振動板２４の位置やコイル２９の積層された高さ等が調整される。
【実施例１４】
【００８１】
本発明に係るスピーカ１の第十四の実施例について、図１９に基づいて説明する。尚、先に示した実施例に係るスピーカ１と同一の構成要素については、同一の参照番号を付してその詳細な説明を省略する。本実施例に係るスピーカ１は、実施例１０に係るスピーカ１と同様に反発型の磁気回路は形成されない。即ち、一つの磁石ユニット２とそれに対向するように配置される振動板２４によって、スピーカ１が形成される。
【００８２】
本発明に係るスピーカ１においては、上述の実施例１３に係るスピーカ１において、磁石ユニット２上の磁石２ｂが、全てにおいて先端部がＮ極となるように規則的に配置されている。そして、その磁石２ｂ間に磁性体で形成された磁性部材５２が設けられる。この磁性部材５２が、先端部がＳ極で基端部がＮ極となる磁石と同等の機能を発揮することで、図１９に示すような磁気回路が形成される。これにより、上方高磁束密度空間Ｒ１と下方高磁束密度空間Ｒ２にコイル２９を位置させることで、コイル２９に供給される音声信号に対応する電流に対して、効率的に力を発生させることが可能となり、以てスピーカ１の効率や音響特性の向上が図られる。
【００８３】
また、この磁性部材５２に、図２０に示すように、その先端側で磁石２ｂもしくは磁性蓋体５１側に突起した突起部５２ａを設けるようにしてもよい。このようにすることで、磁石２ｂと磁性部材５２によって形成される磁気回路において、両者間の磁束の指向性がより高まり、積層状に配置されたコイル２９が存在する空間において、磁束密度をより高めることが可能となる。
【実施例１５】
【００８４】
本発明に係るスピーカ１の第十五の実施例について、図２１に基づいて説明する。尚、先に示した実施例に係るスピーカ１と同一の構成要素については、同一の参照番号を付してその詳細な説明を省略する。本実施例に係るスピーカ１は、実施例１０に係るスピーカ１と同様に反発型の磁気回路は形成されない。即ち、一つの磁石ユニット２とそれに対向するように配置される振動板４によって、スピーカ１が形成される。
【００８５】
本発明に係るスピーカ１の特徴点は、磁石ユニット２上の磁石２ｂと振動板４との間に、磁性体を含む磁性流体５３が介在する点である。この磁性流体５３は比較的粘性が高いため、振動板４の磁石ユニット２側の表面に塗布されている。この磁性流体５３の存在により、磁石２ｂによって形成される磁気回路において、磁石間の磁束の指向性がより高まり、振動板４中のコイル９が存在する空間において、磁束密度をより高めることが可能となる。この結果、コイル９に供給される音声信号に対応する電流に対して、効率的に力を発生させることが可能となり、以てスピーカ１の効率や音響特性の向上が図られる。尚、磁性流体５３は流体であるため、振動板４の振動を阻害しない。
【実施例１６】
【００８６】
本発明に係るスピーカ１の第十六の実施例について、図２２に基づいて説明する。尚、先に示した実施例に係るスピーカ１と同一の構成要素については、同一の参照番号を付してその詳細な説明を省略する。本実施例に係るスピーカ１は、実施例１０に係るスピーカ１と同様に反発型の磁気回路は形成されない。即ち、一つの磁石ユニット２とそれに対向するように配置される振動板４によって、スピーカ１が形成される。
【００８７】
本発明に係るスピーカ１の特徴点は、振動板４の磁石ユニット２とは反対側の表面に磁性体で形成された磁性体板５４が設けられている点である。この磁性体板５４の存在により、磁石２ｂによって生じる磁束であって外部に漏れ出す磁束量を低減させることが可能となる。その結果、振動板４中のコイル９が存在する空間において、磁束密度をより高めることが可能となる。よって、コイル９に供給される音声信号に対応する電流に対して、効率的に力を発生させることが可能となり、以てスピーカ１の効率や音響特性の向上が図られる。
【図面の簡単な説明】
【００８８】
【図１】本発明の第一の実施例に係るスピーカの概略構成を示す図である。
【図２】本発明の第一の実施例に係るスピーカの磁石ユニットにおける磁石の配列を示す図である。
【図３】本発明の第二の実施例に係るスピーカの概略構成を示す図である。
【図４】本発明の第三の実施例に係るスピーカの概略構成を示す図である。
【図５】本発明の第三の実施例に係るスピーカの磁石ユニットにおける磁石と磁性部材の配列を示す図である。
【図６】本発明の第四の実施例に係るスピーカの概略構成を示す図である。
【図７】本発明の第五の実施例に係るスピーカの概略構成を示す図である。
【図８】本発明の第六の実施例に係るスピーカの概略構成を示す図である。
【図９】本発明の第七の実施例に係るスピーカの概略構成を示す図である。
【図１０】本発明の第八の実施例に係るスピーカの概略構成を示す図である。
【図１１】本発明の第九の実施例に係るスピーカにおいて、音声の発生の様子を示す第一の図である。
【図１２】本発明の第九の実施例に係るスピーカにおいて、音声の発生の様子を示す第二の図である。
【図１３】本発明の第九の実施例に係るスピーカにおいて、磁石ユニットのフレームに設けられた貫通孔を示す図である。
【図１４】本発明の第十の実施例に係るスピーカの概略構成を示す図である。
【図１５】本発明の第十の実施例に係るスピーカの磁石ユニットにおける磁石と磁性部材の配列を示す図である。
【図１６】本発明の第十一の実施例に係るスピーカの概略構成を示す図である。
【図１７】本発明の第十二の実施例に係るスピーカの概略構成を示す図である。
【図１８】本発明の第十三の実施例に係るスピーカの概略構成を示す図である。
【図１９】本発明の第十四の実施例に係るスピーカの概略構成を示す図である。
【図２０】本発明の第十四の実施例に係るスピーカにおいて、磁性部材の先端側に設けられた突起部を示す図である。
【図２１】本発明の第十五の実施例に係るスピーカの概略構成を示す図である。
【図２２】本発明の第十六の実施例に係るスピーカの概略構成を示す図である。
【図２３】従来のスピーカの概略構成を示す図である。
【図２４】従来のスピーカの外観を示す図である。
【符号の説明】
【００８９】
１・・・・スピーカ
２、２２・・・・上側磁石ユニット（磁石ユニット）
２ａ、２２ａ・・・・フレーム
２ｂ、２２ｂ・・・・磁石
２２ｃ・・・・磁性部材
３、２３・・・・下側磁石ユニット（磁石ユニット）
３ａ、２３ａ・・・・フレーム
３ｂ、２３ｂ・・・・磁石
２３ｃ・・・・磁性部材
４、１４、２４、３４・・・・振動板
５、１５・・・・エッジ
６、１６・・・・コネクタ
７、１７・・・・コード
８、１８・・・・錦糸線
９、２９・・・・コイル
５０・・・・突起部
５１・・・・磁性蓋体
５２・・・・磁性部材
５２ａ・・・・突起部
５３・・・・磁性流体
５４・・・・磁性体板
【図１】
2007158643.tif 000003
【図２】
2007158643.tif 000004
【図３】
2007158643.tif 000005
【図４】
2007158643.tif 000006
【図５】
2007158643.tif 000007
【図６】
2007158643.tif 000008
【図７】
2007158643.tif 000009
【図８】
2007158643.tif 000010
【図９】
2007158643.tif 000011
【図１０】
2007158643.tif 000012
【図１１】
2007158643.tif 000013
【図１２】
2007158643.tif 000014
【図１３】
2007158643.tif 000015
【図１４】
2007158643.tif 000016
【図１５】
2007158643.tif 000017
【図１６】
2007158643.tif 000018
【図１７】
2007158643.tif 000019
【図１８】
2007158643.tif 000020
【図１９】
2007158643.tif 000021
【図２０】
2007158643.tif 000022
【図２１】
2007158643.tif 000023
【図２２】
2007158643.tif 000024
【図２３】
2007158643.tif 000025
【図２４】
2007158643.tif 000026